(57)【特許請求の範囲】
【請求項１】
ハイパーリンクを生成する複数の文書画像を入力する第１の画像入力手段と、
この第１の画像入力手段で入力された複数の原稿の画像を縮小してまとめたハイパーリンク情報を記入するシートを用紙に出力する出力手段と、
この出力手段により出力されたシート情報を記憶する記憶手段と、
上記出力手段で出力されたシートにハイパーリンク情報が記入された後、このシートの画像を入力する第２の画像入力手段と、
この第２の画像入力手段で入力されたハイパーリンク情報が記入されたシートの画像と上記記憶手段に記憶されたシート情報の画像とからハイパーリンク情報を抽出する抽出手段と、
この抽出手段で抽出されたハイパーリンク情報により上記第１の画像入力手段で入力された複数の文書におけるハイパーリンクを生成する生成手段と、
を具備したことを特徴とするハイパーリンク自動生成装置。
【請求項２】
インターネット用ホームページとして登録する複数の文書のアドレスを位置づけるシートの画像を入力する第１の画像入力手段と、
この第１の画像入力手段で入力された画像から登録する文書のアドレスを位置づける情報を認識する認識手段と、
この認識手段で認識された情報から上記文書のアドレスを一意に決定する決定手段と、
ハイパーリンクを生成する上記登録する複数の文書の画像を入力する第２の画像入力手段と、
この第２の画像入力手段で入力された複数の文書の画像を縮小してまとめたシートを出力する第１の出力手段と、
この第１の出力手段で出力されたシートにハイパーリンク情報が記入された後、このシートの画像を入力する第３の画像入力手段と、
この第３の画像入力手段で入力されたハイパーリンク情報が記入されたシートの画像と上記第１の出力手段で出力されたシートの画像とからハイパーリンク情報を抽出する抽出手段と、
この抽出手段で抽出されたハイパーリンク情報により上記登録する複数の文書におけるハイパーリンクを生成する生成手段と、
この生成手段でハイパーリンクが生成された文書を上記決定手段で決定された上記文書のアドレスによりインターネット用ホームページに登録する登録手段と、
この登録手段で登録が完了した後、上記文書の登録完了を証明するシートを出力する第２の出力手段と、
を具備したことを特徴とするハイパーリンク自動生成装置。
【請求項３】
登録者識別番号の記入部分と予め決定した階層的な登録先指定部分とからなるインターネット用ホームページとして登録する複数の文書のアドレスを位置づけるシートを出力する第１の出力手段と、
この第１の出力手段で出力されたシートに登録者識別番号と登録先指定が記入された後、このシートの画像を入力する第１の画像入力手段と、
この第１の画像入力手段で入力された画像から登録者識別番号と登録先とを認識する認識手段と、
この認識手段で認識された登録者識別番号と登録先とから上記登録する文書のアドレスを一意に決定する決定手段と、
ハイパーリンクを生成する上記登録する複数の文書の画像を入力する第２の画像入力手段と、
この第２の画像入力手段で入力された複数の文書の画像を縮小して１枚にまとめたシートを出力する第２の出力手段と、
この第２の出力手段で出力されたシートにハイパーリンク情報が記入された後、このシートの画像を入力する第３の画像入力手段と、
この第３の画像入力手段で入力されたハイパーリンク情報が記入されたシートの画像と上記第２の出力手段で出力されたシートの画像とからこの差分情報を取る差分手段と、
この差分手段で取られた差分情報からハイパーリンク情報を抽出する抽出手段と、
この抽出手段で抽出されたハイパーリンク情報により上記登録する複数の文書におけるハイパーリンクを生成する生成手段と、
この生成手段で生成されたハイパーリンク情報と上記第２の画像入力手段で入力された画像の登録する文書とをハイパーテキストマークアップ言語に変換する変換手段と、
この変換手段でハイパーテキストマークアップ言語に変換されたハイパーリンク情報と登録する文書と上記決定手段で決定された登録する文書のアドレスとからインターネット用ホームページに登録する登録手段と、
この登録手段で登録が完了した後、上記決定手段で決定された登録した文書のアドレスを含む登録完了を証明するシートを出力する第３の出力手段と、
を具備したことを特徴とするハイパーリンク自動生成装置。
【請求項４】
既に登録された文書の縮小画像とそのハイパーリンク情報とをまとめたハイパーリンク情報を記入するシートを用紙に出力する出力手段と、
この出力手段により出力されたシート情報を記憶する記憶手段と、
上記出力手段で出力されたシートにハイパーリンク情報の変更が記入された後、このシートの画像を入力する画像入力手段と、
この画像入力手段で入力されたシートの画像と上記記憶手段に記憶されたシート情報の画像とからハイパーリンクの更新情報を抽出する抽出手段と、
この抽出手段で抽出された更新情報により上記登録された文書のハイパーリンクを更新する更新手段と、
を具備したことを特徴とするハイパーリンク自動生成装置。
【請求項５】
既に登録されているハイパーリンクを変更するハイパーテキストを検索する検索手段と、
この検索手段で検索されたハイパーテキストの縮小画像とそのハイパーリンク情報とをまとめたハイパーリンク情報を記入するシートを用紙に出力する出力手段と、
この出力手段により出力されたシート情報を記憶する記憶手段と、
上記出力手段で出力されたシートにハイパーリンク情報の変更が記入された後、このシートの画像を入力する画像入力手段と、
この画像入力手段で入力されたシートの画像と上記記憶手段に記憶されたシート情報の画像とからハイパーリンクの更新情報を抽出する抽出手段と、
この抽出手段で抽出された更新情報により上記ハイパーテキストのハイパーリンクを更新する更新手段と、
を具備したことを特徴とするハイパーリンク自動生成装置。
【請求項６】
インターネット用ホームページとして既にサーバに登録されているハイパーテキストの登録識別番号が記載されたシートの画像を入力する第１の画像入力手段と、
この第１の画像入力手段で入力されたシートの画像から登録識別番号を認識する認識手段と、
この認識手段で認識された登録識別番号から既にサーバに登録されているインターネット用ホームページを検索する検索手段と、
この検索手段で検索されたハイパーテキストの全文書とそのハイパーリンク情報とを１枚のシートにまとめて出力する第１の出力手段と、
この第１の出力手段で出力されたシートにハイパーリンク情報の追加と削除とが記入された後、このシートの画像を入力する第２の画像入力手段と、
この第２の画像入力手段で入力されたハイパーリンク情報が記入されたシートの画像と上記第１の出力手段で出力されたシートの画像とからこの差分情報を取る差分手段と、
この差分手段で取られた差分情報からハイパーリンク情報の追加情報と削除情報とを抽出する抽出手段と、
この抽出手段で抽出されたハイパーリンク情報の追加情報と削除情報とにより上記ハイパーテキストのハイパーリンクを更新する更新手段と、
この更新手段で更新されたハイパーリンク情報と上記検索手段で検索されたハイパーテキストの全文書とをハイパーテキストマークアップ言語に変換する変換手段と、
この変換手段でハイパーテキストマークアップ言語に変換されたハイパーリンク情報と上記ハイパーテキストの全文書と上記ハイパーテキストの登録識別番号とからインターネット用ホームページに登録する登録手段と、
この登録手段で登録が完了した後、登録完了を証明するシートを出力する第２の出力手段と、
を具備したことを特徴とするハイパーリンク自動生成装置。
【請求項７】
既に登録されている文書のハイパーリンクの更新履歴が記載されたシートを出力する第１の出力手段と、
この第１の出力手段で出力されたハイパーリンクの更新履歴のシートの画像を入力する第１の画像入力手段と、
この第１の画像入力手段で入力されたハイパーリンクの更新履歴のシートの画像と上記登録されている文書とそのハイパーリンク情報とをハイパーリンク情報を記入するシートにまとめて用紙に出力する第２の出力手段と、
この第２の出力手段で出力されたシートにハイパーリンク情報の追加が記入された後、このシートの画像を入力する第２の画像入力手段と、
を具備したことを特徴とするハイパーリンク自動生成装置。
【請求項８】
既に登録されている文書のハイパーリンクの更新履歴を保存する保存手段と、
この保存手段に保存されているハイパーリンクの更新履歴を読出す読出手段と、
この読出手段で読出されたハイパーリンクの更新履歴が記載されたシートを出力する第１の出力手段と、
この第１の出力手段で出力されたハイパーリンクの更新履歴のシートの画像を入力する第１の画像入力手段と、
この第１の画像入力手段で入力されたハイパーリンクの更新履歴のシートの画像と上記登録されている文書とそのハイパーリンク情報とをハイパーリンク情報を記入するシートにまとめて用紙に出力する第２の出力手段と、
この第２の出力手段により出力されたシート情報を記憶する記憶手段と、
上記第２の出力手段で出力されたシートにおけるハイパーリンクの更新履歴の過去に更新した文書とをリンクするハイパーリンク情報が記入された後、このシートの画像を入力する第２の画像入力手段と、
この第２の画像入力手段で入力されたシートの画像と上記記憶手段に記憶されたシート情報の画像とからハイパーリンク情報を抽出する抽出手段と、
この抽出手段で抽出されたハイパーリンク情報により上記登録されている文書のハイパーリンクを更新する更新手段と、
を具備したことを特徴とするハイパーリンク自動生成装置。
【請求項９】
インターネット用ホームページとして既にサーバに登録されているハイパーテキストの登録識別番号が記載されたシートの画像を入力する第１の画像入力手段と、
この第１の画像入力手段で入力されたシートの画像から登録識別番号を認識する認識手段と、
この認識手段で認識された登録識別番号から既にサーバに登録されているインターネット用ホームページの更新履歴を検索する検索手段と、
この検索手段で検索された更新履歴のシートを出力する第１の出力手段と、
この第１の出力手段で出力された更新履歴のシートの画像を入力する第２の画像入力手段と、
この第２の画像入力手段で入力された更新履歴のシートの画像と上記認識手段で認識された登録識別番号に該当するハイパーテキストの文書とそのハイパーリンク情報とに登録識別番号を付加してシートにまとめて出力する第２の出力手段と、
この第２の出力手段で出力されたシートにハイパーリンク情報の追加が記入された後、このシートの画像を入力する第３の画像入力手段と、
この第３の画像入力手段で入力されたハイパーリンク情報が記入されたシートの画像と上記第２の出力手段で出力されたシートの画像とからこの差分情報を取る差分手段と、
この差分手段で取られた差分情報からハイパーリンク情報の追加情報を抽出する抽出手段と、
この抽出手段で抽出されたハイパーリンク情報の追加情報により上記登録識別番号のハイパーテキストのハイパーリンクを更新する更新手段と、
この更新手段で更新されたハイパーリンク情報と上記第２の出力手段で出力された画像のハイパーテキストの文書と更新履歴とをハイパーテキストマークアップ言語に変換する変換手段と、
この変換手段でハイパーテキストマークアップ言語に変換されたハイパーリンク情報とハイパーテキストの文書と上記ハイパーテキストの登録識別番号とからインターネット用ホームページに登録する登録手段と、
この登録手段で登録が完了した後、登録完了を証明するシートを出力する第３の出力手段と、
を具備したことを特徴とするハイパーリンク自動生成装置。
【請求項１０】
ハイパーリンクを生成する複数の文書の画像を入力する第１の画像入力手段と、
この第１の画像入力手段で入力された複数の画像を縮小してハイパーリンク情報を記入する複数のシートにまとめて用紙に出力する出力手段と、
この出力手段により出力されたシート情報を記憶する記憶手段と、
上記出力手段で出力された複数のシート間でハイパーリンク情報を記入する場合は任意の記号を用いてリンク元とリンク先とが記入され、これら複数のシートにおけるハイパーリンク情報が記入された後、このシートの画像を入力する第２の画像入力手段と、
この第２の画像入力手段で入力されたハイパーリンク情報が記入された複数のシートの画像と上記記憶手段に記憶されたシート情報の画像とから、任意の記号を用いたリンク元とリンク先とを含めたハイパーリンク情報を抽出する抽出手段と、
この抽出手段で抽出されたハイパーリンク情報により上記登録する複数の文書におけるハイパーリンクを生成する生成手段と、
を具備したことを特徴とするハイパーリンク自動生成装置。
【請求項１１】
インターネット用ホームページとして登録する複数の文書のアドレスを位置づけるシートの画像を入力する第１の画像入力手段と、
この第１の画像入力手段で入力された画像から登録する文書のアドレスを位置づける情報を認識する認識手段と、
この認識手段で認識された情報から上記文書のアドレスを一意に決定する決定手段と、
ハイパーリンクを生成する上記登録したい複数の文書の画像を入力する第２の画像入力手段と、
この第２の画像入力手段で入力された複数の原稿画像のうち４つの原稿画像をハイパーリンク情報を記入する１枚のシートにまとめて複数のシートを複数の用紙に出力する出力手段と、
この出力手段により出力されたシート情報を記憶する記憶手段と、
上記出力手段で出力された複数のシート間でハイパーリンク情報を記入する場合は任意の記号を用いてリンク元とリンク先とが記入され、これら複数のシートにおけるハイパーリンク情報が記入された後、このシートの画像を入力する第３の画像入力手段と、
この第３の画像入力手段で入力されたハイパーリンク情報が記入された複数のシートの画像と上記記憶手段に記憶された複数のシート情報の画像とから、任意の記号を用いたリンク元とリンク先とを含めたハイパーリンク情報を抽出する抽出手段と、
この抽出手段で抽出されたハイパーリンク情報により上記登録する複数の文書におけるハイパーリンクを生成する生成手段と、
を具備したことを特徴とするハイパーリンク自動生成装置。
【請求項１２】
登録者識別番号の記入部分と予め決定した階層的な登録先指定部分とからなるインターネット用ホームページとして登録する文書のアドレスを位置づけるシートを出力する第１の出力手段と、
この第１の出力手段で出力されたシートに登録者識別番号と登録先指定が記入された後、このシートの画像を入力する第１の画像入力手段と、
この第１の画像入力手段で入力された画像から登録者識別番号と登録先とを認識する認識手段と、
この認識手段で認識された登録者識別番号と登録先とから上記登録する文書のアドレスを一意に決定する決定手段と、
ハイパーリンクを生成する上記登録する複数の文書の画像を入力する第２の画像入力手段と、
この第２の画像入力手段で入力された複数の画像を縮小し、４つの原稿画像を１枚のシートにまとめて複数のシートを出力する第２の出力手段と、
この第２の出力手段で出力された複数のシート間でハイパーリンク情報を記入する場合は任意の記号を用いてリンク元とリンク先とが記入され、これら複数のシートにおけるハイパーリンク情報が記入された後、このシートの画像を入力する第３の画像入力手段と、
この第３の画像入力手段で入力されたハイパーリンク情報が記入された複数のシートの画像と対応する上記第２の出力手段で出力されたそれぞれのシートの画像とからこの差分情報を取る差分手段と、
この差分手段で取られた差分情報からハイパーリンク情報を抽出する抽出手段と、
この抽出手段で抽出されたハイパーリンク情報により上記登録する複数の原稿からなる文書におけるハイパーリンクを生成する生成手段と、
この生成手段で生成されたハイパーリンク情報と上記第２の画像入力手段で入力された画像の文書とをハイパーテキストマークアップ言語に変換する変換手段と、
この変換手段でハイパーテキストマークアップ言語に変換されたハイパーリンク情報と登録する文書と上記決定手段で決定された登録する文書のアドレスとからインターネット用ホームページに登録する登録手段と、
この登録手段で登録が完了した後、上記決定手段で決定された登録した文書のアドレスを含む登録完了を証明するシートを出力する第３の出力手段と、
を具備したことを特徴とするハイパーリンク自動生成装置。
【請求項１３】
インターネット用ホームページとして既にサーバに登録識別番号がわかっている登録文書に登録識別番号が不明の登録文書をリンクする際、登録識別番号が不明の文書のアドレスをキーワードで検索する検索手段と、
この検索手段で検索された文書のアドレスのリストを出力する第１の出力手段と、
この第１の出力手段で出力された文書のアドレスリストの画像を入力する第１の画像入力手段と、
この第１の画像入力手段で入力された文書のアドレスリストの画像と上記登録識別番号がわかっている登録文書の画像とをまとめてシートに出力する第２の出力手段と、
この第２の出力手段で出力されたシートにおいて、上記登録識別番号がわかっている登録文書と上記第１の画像入力手段で入力された文書のアドレスとをリンクするハイパーリンク情報が記入された後、このシートの画像を入力する第２の画像入力手段と、
この第２の画像入力手段で入力されたハイパーリンク情報が記入されたシートの画像と上記第２の出力手段で出力されたシートの画像とからハイパーリンク情報を抽出する抽出手段と、
この抽出手段で抽出されたハイパーリンク情報を上記登録識別番号がわかっている登録文書のハイパーリンクに追加登録する登録手段と、
を具備したことを特徴とするハイパーリンク自動生成装置。
【請求項１４】
インターネット用ホームページとして既にサーバに登録識別番号がわかっている登録文書に登録識別番号が不明の登録文書をリンクする際、登録識別番号が不明の登録文書の検索キーワードを記入する項目のあるシートを出力する第１の出力手段と、
この第１の出力手段で出力されたシートに検索キーワードが記入された後、このシートの画像を入力する第１の画像入力手段と、
この第１の画像入力手段で入力された画像に記入された検索キーワードを認識する認識手段と、
この認識手段で認識された検索キーワードで上記サーバに登録されている文書のうちの該当する文書のアドレスを検索する検索手段と、
この検索手段で検索された文書のアドレスのリストを出力する第２の出力手段と、
この第２の出力手段で出力された文書のアドレスリストの画像を入力する第２の画像入力手段と、
この第２の画像入力手段で入力された文書のアドレスリストの画像と上記登録識別番号がわかっている登録文書の画像とをまとめてシートに出力する第３の出力手段と、
この第３の出力手段で出力されたシートにハイパーリンク情報が記入された後、このシートの画像を入力する第３の画像入力手段と、
この第３の画像入力手段で入力されたハイパーリンク情報が記入されたシートの画像と上記第３の出力手段で出力されたシートの画像とからこの差分情報を取る差分手段と、
この差分手段で取られた差分情報からハイパーリンク情報の追加情報を抽出する抽出手段と、
この抽出手段で抽出されたハイパーリンク情報の追加情報によりハイパーリンクを更新する更新手段と、
この更新手段で更新されたハイパーリンク情報と上記第３の出力手段で出力された上記登録識別番号がわかっている登録文書とをハイパーテキストマークアップ言語に変換する変換手段と、
この変換手段でハイパーテキストマークアップ言語に変換されたハイパーリンク情報と登録する文書とこの登録文書の登録識別番号とからインターネット用ホームページに登録する登録手段と、
この登録手段で登録が完了した後、登録完了を証明するシートを出力する第４の出力手段と、
を具備したことを特徴とするハイパーリンク自動生成装置。
【発明の詳細な説明】
【０００１】
【発明の属する技術分野】
この発明は、たとえばインターネットのホームページにおいて、シートを用いて関連情報を自動的に結び付けることのできるハイパーリンク自動生成装置に関する。
【０００２】
【従来の技術】
インターネットにおけるＷＷＷは”Ｗｏｒｌｄ  Ｗｉｄｅ  Ｗｅｂ”の略（以下、ＷＷＷと記す）で、ＷＷＷプロジェクトはＣＥＲＮ（Ｅｕｒｏｐｅａｎ  Ｌａｂｏｒａｔｏｒｙ  ｆｏｒ  Ｐａｒｔｉｃｌｅ  Ｐｈｙｓｉｃｓ）によって提唱され、分散ハイパーメディアシステムを構築することを目標としている。現在、世界的にＷＷＷホームページの発信が盛んに行われている。ＷＷＷ上の文章はＨＴＭＬ（Ｈｙｐｅｒｔｅｘｔ  Ｍａｒｋｕｐ  Ｌａｎｇｕａｇｅ）と呼ばれる「マークアップ言語」で書かれている。ＨＴＭＬで書かれたハイパーテキストは、ＵＲＬ（Ｕｎｉｆｏｒｍ  Ｒｅｓｏｕｒｃｅ  Ｌｏｃａｔｏｒ）と呼ばれる特定のインターネット資源を指定する標準記法によって一意に指定されている。
【０００３】
また最近、電子文書をＨＴＭＬに自動変換するツールや、アプリケーションとＷＷＷの世界をシームレスに統合するソフトウェアなどのアプリケーションがあり、ＨＴＭＬを特に意識しなくてもＨＴＭＬに自動変換してくれるツールが出てきている。
【０００４】
例えば、特開平７−３２５８２７号公報には、ハイパーテキスト自動生成装置の技術が公開されている。このハイパーテキスト自動生成装置は、べたのテキストからキーワードを抽出し、そのキーワードを元にハイパーリンクを自動的に設定するであり、入力したテキストを所定の単位に分解し所定の文字列を抽出する文字列抽出決定部と、抽出された所定の文字列をハイパーリンク元とし、そのハイパーリンク元の文字列と一意に関連づけられた文字列をハイパーリンク先として決定し、ハイパーリンクを生成するハイパーリンク部とを備えたことを特徴としている。
【０００５】
しかしながら、ハイパーリンクを自動生成するシステムでは、パーソナルコンピュータやワードプロセッサなどで生成した電子文書を扱うことが前提となっており、紙に印刷された文書を扱うことができないでいた。上述した公開公報では、べたのテキストが前提となっている。
【０００６】
また、ＷＷＷホームページを開設するには、パーソナルコンピュータやソフトなどのツールを揃えなければならず、さらにＨＴＭＬの知識が必要となる。
【０００７】
また、ＷＷＷホームページを登録する際には、ＵＲＬを意識しなければならない。
【０００８】
また、ハイパーリンク関係は、ＨＴＭＬ中でテキストとしてＵＲＬやファイル名などを記述するが、視覚的、直感的に理解しにくい。
【０００９】
また、ホームページを更新する場合にもＨＴＭＬを扱ってリンク関係を張り直すなど大変な手間がかかっていた。
【００１０】
【発明が解決しようとする課題】
上記したように、ハイパーリンクを自動生成するシステムでは、パーソナルコンピュータやワードプロセッサなどで生成した電子文書を扱うことが前提となっており、紙に印刷された文書を扱うことができず、ＷＷＷホームページを開設するにはパーソナルコンピュータやソフトなどのツールを揃えなければならず、さらにＨＴＭＬの知識が必要となり、ＷＷＷホームページを登録する際にはＵＲＬを意識しなければならず、ハイパーリンク関係はＨＴＭＬ中でテキストとしてＵＲＬやファイル名などを記述するが、視覚的、直感的に理解しにくく、ホームページを更新する場合にもＨＴＭＬを扱ってリンク関係を張り直すなど大変な手間がかかってしまうという問題があった。
【００１１】
そこで、この発明は、パーソナルコンピュータやそのプログラムソフトなどを必要とせず、ＨＴＭＬの知識も必要なくＵＲＬを意識せず、紙に印刷された文書を扱って、視覚的、直感的に理解しやすくして容易にハイパーリンクを自動的に生成することのできるハイパーリンク自動生成装置を提供することを目的とする。
【００１２】
【課題を解決するための手段】
この発明のハイパーリンク自動生成装置は、ハイパーリンクを生成する複数の文書画像を入力する第１の画像入力手段と、この第１の画像入力手段で入力された複数の画像を縮小してまとめたハイパーリンク情報を記入するシートを用紙に出力する出力手段と、この出力手段により出力されたシート情報を記憶する記憶手段と、上記出力手段で出力されたシートにハイパーリンク情報が記入された後、このシートの画像を入力する第２の画像入力手段と、この第２の画像入力手段で入力されたハイパーリンク情報が記入されたシートの画像と上記記憶手段に記憶されたシート情報の画像とからハイパーリンク情報を抽出する抽出手段と、この抽出手段で抽出されたハイパーリンク情報により上記第１の画像入力手段で入力された複数の文書におけるハイパーリンクを生成する生成手段とから構成されている。
【００１３】
この発明のハイパーリンク自動生成装置は、インターネット用ホームページとして登録する複数の文書のアドレスを位置づけるシートの画像を入力する第１の画像入力手段と、この第１の画像入力手段で入力された画像から登録する文書のアドレスを位置づける情報を認識する認識手段と、この認識手段で認識された情報から上記文書のアドレスを一意に決定する決定手段と、ハイパーリンクを生成する上記登録する複数の文書の画像を入力する第２の画像入力手段と、この第２の画像入力手段で入力された複数の文書の画像を縮小してまとめたシートを出力する第１の出力手段と、この第１の出力手段で出力されたシートにハイパーリンク情報が記入された後、このシートの画像を入力する第３の画像入力手段と、この第３の画像入力手段で入力されたハイパーリンク情報が記入されたシートの画像と上記第１の出力手段で出力されたシートの画像とからハイパーリンク情報を抽出する抽出手段と、この抽出手段で抽出されたハイパーリンク情報により上記登録する複数の文書におけるハイパーリンクを生成する生成手段と、この生成手段でハイパーリンクが生成された文書を上記決定手段で決定された上記文書のアドレスによりインターネット用ホームページに登録する登録手段と、この登録手段で登録が完了した後、上記文書の登録完了を証明するシートを出力する第２の出力手段とから構成されている。
【００１４】
この発明のハイパーリンク自動生成装置は、登録者識別番号の記入部分と予め決定した階層的な登録先指定部分とからなるインターネット用ホームページとして登録する複数の文書のアドレスを位置づけるシートを出力する第１の出力手段と、この第１の出力手段で出力されたシートに登録者識別番号と登録先指定が記入された後、このシートの画像を入力する第１の画像入力手段と、この第１の画像入力手段で入力された画像から登録者識別番号と登録先とを認識する認識手段と、この認識手段で認識された登録者識別番号と登録先とから上記登録する文書のアドレスを一意に決定する決定手段と、ハイパーリンクを生成する上記登録する複数の文書の画像を入力する第２の画像入力手段と、この第２の画像入力手段で入力された複数の文書の画像を縮小して１枚にまとめたシートを出力する第２の出力手段と、この第２の出力手段で出力されたシートにハイパーリンク情報が記入された後、このシートの画像を入力する第３の画像入力手段と、この第３の画像入力手段で入力されたハイパーリンク情報が記入されたシートの画像と上記第２の出力手段で出力されたシートの画像とからこの差分情報を取る差分手段と、この差分手段で取られた差分情報からハイパーリンク情報を抽出する抽出手段と、この抽出手段で抽出されたハイパーリンク情報により上記登録する複数の文書におけるハイパーリンクを生成する生成手段と、この生成手段で生成されたハイパーリンク情報と上記第２の画像入力手段で入力された画像の登録する文書とをハイパーテキストマークアップ言語に変換する変換手段と、この変換手段でハイパーテキストマークアップ言語に変換されたハイパーリンク情報と登録する文書と上記決定手段で決定された登録する文書のアドレスとからインターネット用ホームページに登録する登録手段と、この登録手段で登録が完了した後、上記決定手段で決定された文書のアドレスを含む登録完了を証明するシートを出力する第３の出力手段とから構成されている。
【００１５】
この発明のハイパーリンク自動生成装置は、既に登録された文書の縮小画像とそのハイパーリンク情報とをまとめたハイパーリンク情報を記入するシートを用紙に出力する出力手段と、この出力手段により出力されたシート情報を記憶する記憶手段と、上記出力手段で出力されたシートにハイパーリンク情報の変更が記入された後、このシートの画像を入力する画像入力手段と、この画像入力手段で入力されたシートの画像と上記記憶手段に記憶されたシート情報の画像とからハイパーリンクの更新情報を抽出する抽出手段と、この抽出手段で抽出された更新情報により上記登録された文書のハイパーリンクを更新する更新手段とから構成されている。
【００１６】
この発明のハイパーリンク自動生成装置は、既に登録されているハイパーリンクを変更するハイパーテキストを検索する検索手段と、この検索手段で検索されたハイパーテキストの縮小画像とそのハイパーリンク情報とをまとめたハイパーリンク情報を記入するシートを用紙に出力する出力手段と、この出力手段により出力されたシート情報を記憶する記憶手段と、上記出力手段で出力されたシートにハイパーリンク情報の変更が記入された後、このシートの画像を入力する画像入力手段と、この画像入力手段で入力されたシートの画像と上記記憶手段に記憶されたシート情報の画像とからハイパーリンクの更新情報を抽出する抽出手段と、この抽出手段で抽出された更新情報により上記ハイパーテキストのハイパーリンクを更新する更新手段とから構成されている。
【００１７】
この発明のハイパーリンク自動生成装置は、インターネット用ホームページとして既にサーバに登録されているハイパーテキストの登録識別番号が記載されたシートの画像を入力する第１の画像入力手段と、この第１の画像入力手段で入力されたシートの画像から登録識別番号を認識する認識手段と、この認識手段で認識された登録識別番号から既にサーバに登録されているインターネット用ホームページを検索する検索手段と、この検索手段で検索されたハイパーテキストの全文書とそのハイパーリンク情報とを１枚のシートにまとめて出力する第１の出力手段と、この第１の出力手段で出力されたシートにハイパーリンク情報の追加と削除とが記入された後、このシートの画像を入力する第２の画像入力手段と、この第２の画像入力手段で入力されたハイパーリンク情報が記入されたシートの画像と上記第１の出力手段で出力されたシートの画像とからこの差分情報を取る差分手段と、この差分手段で取られた差分情報からハイパーリンク情報の追加情報と削除情報とを抽出する抽出手段と、この抽出手段で抽出されたハイパーリンク情報の追加情報と削除情報とにより上記ハイパーテキストのハイパーリンクを更新する更新手段と、この更新手段で更新されたハイパーリンク情報と上記検索手段で検索されたハイパーテキストの全文書とをハイパーテキストマークアップ言語に変換する変換手段と、この変換手段でハイパーテキストマークアップ言語に変換されたハイパーリンク情報と上記ハイパーテキストの全文書と上記ハイパーテキストの登録識別番号とからインターネット用ホームページに登録する登録手段と、この登録手段で登録が完了した後、登録完了を証明するシートを出力する第２の出力手段とから構成されている。
【００１８】
この発明のハイパーリンク自動生成装置は、既に登録されている文書のハイパーリンクの更新履歴が記載されたシートを出力する第１の出力手段と、この第１の出力手段で出力されたハイパーリンクの更新履歴のシートの画像を入力する第１の画像入力手段と、この第１の画像入力手段で入力されたハイパーリンクの更新履歴のシートの画像と上記登録されている文書とそのハイパーリンク情報とをハイパーリンク情報を記入するシートにまとめて用紙に出力する第２の出力手段と、この第２の出力手段で出力されたシートにハイパーリンク情報の追加が記入された後、このシートの画像を入力する第２の画像入力手段とから構成されている。
【００１９】
この発明のハイパーリンク自動生成装置は、既に登録されている文書のハイパーリンクの更新履歴を保存する保存手段と、この保存手段に保存されているハイパーリンクの更新履歴を読出す読出手段と、この読出手段で読出されたハイパーリンクの更新履歴が記載されたシートを出力する第１の出力手段と、この第１の出力手段で出力されたハイパーリンクの更新履歴のシートの画像を入力する第１の画像入力手段と、この第１の画像入力手段で入力されたハイパーリンクの更新履歴のシートの画像と上記登録されている文書とそのハイパーリンク情報とをハイパーリンク情報を記入するシートにまとめて用紙に出力する第２の出力手段と、第２の出力手段により出力されたシート情報を記憶する記憶手段と、上記第２の出力手段で出力されたシートにおけるハイパーリンクの更新履歴の過去に更新した文書とをリンクするハイパーリンク情報が記入された後、このシートの画像を入力する第２の画像入力手段と、この第２の画像入力手段で入力されたシートの画像と上記記憶手段に記憶されたシート情報の画像とからハイパーリンク情報を抽出する抽出手段と、この抽出手段で抽出されたハイパーリンク情報により上記登録されている文書のハイパーリンクを更新する更新手段とから構成されている。
【００２０】
この発明のハイパーリンク自動生成装置は、インターネット用ホームページとして既にサーバに登録されているハイパーテキストの登録識別番号が記載されたシートの画像を入力する第１の画像入力手段と、この第１の画像入力手段で入力されたシートの画像から登録識別番号を認識する認識手段と、この認識手段で認識された登録識別番号から既にサーバに登録されているインターネット用ホームページの更新履歴を検索する検索手段と、この検索手段で検索された更新履歴のシートを出力する第１の出力手段と、この第１の出力手段で出力された更新履歴のシートの画像を入力する第２の画像入力手段と、この第２の画像入力手段で入力された更新履歴のシートの画像と上記認識手段で認識された登録識別番号に該当するハイパーテキストの文書とそのハイパーリンク情報とに登録識別番号を付加してシートにまとめて出力する第２の出力手段と、この第２の出力手段で出力されたシートにハイパーリンク情報の追加が記入された後、このシートの画像を入力する第３の画像入力手段と、この第３の画像入力手段で入力されたハイパーリンク情報が記入されたシートの画像と上記第２の出力手段で出力されたシートの画像とからこの差分情報を取る差分手段と、この差分手段で取られた差分情報からハイパーリンク情報の追加情報を抽出する抽出手段と、この抽出手段で抽出されたハイパーリンク情報の追加情報により上記登録識別番号のハイパーテキストのハイパーリンクを更新する更新手段と、この更新手段で更新されたハイパーリンク情報と上記第２の出力手段で出力された画像のハイパーテキストの文書と更新履歴とをハイパーテキストマークアップ言語に変換する変換手段と、この変換手段でハイパーテキストマークアップ言語に変換されたハイパーリンク情報とハイパーテキストの文書と上記ハイパーテキストの登録識別番号とからインターネット用ホームページに登録する登録手段と、この登録手段で登録が完了した後、登録完了を証明するシートを出力する第３の出力手段とから構成されている。
【００２１】
この発明のハイパーリンク自動生成装置は、ハイパーリンクを生成する複数の文書の画像を入力する第１の画像入力手段と、この第１の画像入力手段で入力された複数の画像を縮小してハイパーリンク情報を記入する複数のシートにまとめて用紙に出力する出力手段と、この出力手段により出力されたシート情報を記憶する記憶手段と、上記出力手段で出力された複数のシート間でハイパーリンク情報を記入する場合は任意の記号を用いてリンク元とリンク先とが記入され、これら複数のシートにおけるハイパーリンク情報が記入された後、このシートの画像を入力する第２の画像入力手段と、この第２の画像入力手段で入力されたハイパーリンク情報が記入された複数のシートの画像と上記記憶手段に記憶されたシート情報の画像とから、任意の記号を用いたリンク元とリンク先とを含めたハイパーリンク情報を抽出する抽出手段と、この抽出手段で抽出されたハイパーリンク情報により上記登録する複数の文書におけるハイパーリンクを生成する生成手段とから構成されている。
【００２２】
この発明のハイパーリンク自動生成装置は、インターネット用ホームページとして登録する複数の文書のアドレスを位置づけるシートの画像を入力する第１の画像入力手段と、この第１の画像入力手段で入力された画像から登録する文書のアドレスを位置づける情報を認識する認識手段と、この認識手段で認識された情報から上記文書のアドレスを一意に決定する決定手段と、ハイパーリンクを生成する上記登録したい複数の原稿からなる文書の画像を入力する第２の画像入力手段と、この第２の画像入力手段で入力された複数の原稿画像のうち４つの原稿画像をハイパーリンク情報を記入する１枚のシートにまとめて複数のシートを複数の用紙に出力する出力手段と、この出力手段により出力されたシート情報を記憶する記憶手段と、この出力手段で出力された複数のシート間でハイパーリンク情報を記入する場合は任意の記号を用いてリンク元とリンク先とが記入され、これら複数のシートにおけるハイパーリンク情報が記入された後、このシートの画像を入力する第３の画像入力手段と、この第３の画像入力手段で入力されたハイパーリンク情報が記入された複数のシートの画像と上記記憶手段に記憶された複数のシート情報の画像とから、任意の記号を用いたリンク元とリンク先とを含めたハイパーリンク情報を抽出する抽出手段と、この抽出手段で抽出されたハイパーリンク情報により上記登録する複数の文書におけるハイパーリンクを生成する生成手段とから構成されている。
【００２３】
この発明のハイパーリンク自動生成装置は、登録者識別番号の記入部分と予め決定した階層的な登録先指定部分とからなるインターネット用ホームページとして登録する文書のアドレスを位置づけるシートを出力する第１の出力手段と、この第１の出力手段で出力されたシートに登録者識別番号と登録先指定が記入された後、このシートの画像を入力する第１の画像入力手段と、この第１の画像入力手段で入力された画像から登録者識別番号と登録先とを認識する認識手段と、この認識手段で認識された登録者識別番号と登録先とから上記登録する文書のアドレスを一意に決定する決定手段と、ハイパーリンクを生成する上記登録する複数の文書の画像を入力する第２の画像入力手段と、この第２の画像入力手段で入力された複数の画像を縮小し、４つの原稿画像を１枚のシートにまとめて複数のシートを出力する第２の出力手段と、この第２の出力手段で出力された複数のシート間でハイパーリンク情報を記入する場合は任意の記号を用いてリンク元とリンク先とが記入され、これら複数のシートにおけるハイパーリンク情報が記入された後、このシートの画像を入力する第３の画像入力手段と、この第３の画像入力手段で入力されたハイパーリンク情報が記入された複数のシートの画像と対応する上記第２の出力手段で出力されたそれぞれのシートの画像とからこの差分情報を取る差分手段と、この差分手段で取られた差分情報からハイパーリンク情報を抽出する抽出手段と、この抽出手段で抽出されたハイパーリンク情報により上記登録する複数の原稿からなる文書におけるハイパーリンクを生成する生成手段と、この生成手段で生成されたハイパーリンク情報と上記第２の画像入力手段で入力された画像の文書とをハイパーテキストマークアップ言語に変換する変換手段と、この変換手段でハイパーテキストマークアップ言語に変換されたハイパーリンク情報と登録する文書と上記決定手段で決定された登録する文書のアドレスとからインターネット用ホームページに登録する登録手段と、この登録手段で登録が完了した後、上記決定手段で決定された登録した文書のアドレスを含む登録完了を証明するシートを出力する第３の出力手段とから構成されている。
【００２５】
この発明のハイパーリンク自動生成装置は、インターネット用ホームページとして既にサーバに登録識別番号が不明の登録文書に登録識別番号のわからない登録文書をリンクする際、登録識別番号が不明の文書のアドレスをキーワードで検索する検索手段と、この検索手段で検索された文書のアドレスのリストを出力する第１の出力手段と、この第１の出力手段で出力された文書のアドレスリストの画像を入力する第１の画像入力手段と、この第１の画像入力手段で入力された文書のアドレスリストの画像と上記登録識別番号がわかっている登録文書の画像とをまとめてシートに出力する第２の出力手段と、この第２の出力手段で出力されたシートにおいて、上記登録識別番号がわかっている登録文書と上記第１の画像入力手段で入力された文書のアドレスとをリンクするハイパーリンク情報が記入された後、このシートの画像を入力する第２の画像入力手段と、この第２の画像入力手段で入力されたハイパーリンク情報が記入されたシートの画像と上記第２の出力手段で出力されたシートの画像とからハイパーリンク情報を抽出する抽出手段と、この抽出手段で抽出されたハイパーリンク情報を上記登録識別番号がわかっている登録文書のハイパーリンクに追加登録する登録手段とから構成されている。
【００２６】
この発明のハイパーリンク自動生成装置は、インターネット用ホームページとして既にサーバに登録識別番号がわかっている登録文書に登録識別番号が不明の登録文書をリンクする際、登録識別番号が不明の登録文書の検索キーワードを記入する項目のあるシートを出力する第１の出力手段と、この第１の出力手段で出力されたシートに検索キーワードが記入された後、このシートの画像を入力する第１の画像入力手段と、この第１の画像入力手段で入力された画像に記入された検索キーワードを認識する認識手段と、この認識手段で認識された検索キーワードで上記サーバに登録されている文書のうちの該当する文書のアドレスを検索する検索手段と、この検索手段で検索された文書のアドレスのリストを出力する第２の出力手段と、この第２の出力手段で出力された文書のアドレスリストの画像を入力する第２の画像入力手段と、この第２の画像入力手段で入力された文書のアドレスリストの画像と上記登録識別番号がわかっている登録文書の画像とをまとめてシートに出力する第３の出力手段と、この第３の出力手段で出力されたシートにハイパーリンク情報が記入された後、このシートの画像を入力する第３の画像入力手段と、この第３の画像入力手段で入力されたハイパーリンク情報が記入されたシートの画像と上記第３の出力手段で出力されたシートの画像とからこの差分情報を取る差分手段と、この差分手段で取られた差分情報からハイパーリンク情報の追加情報を抽出する抽出手段と、この抽出手段で抽出されたハイパーリンク情報の追加情報によりハイパーリンクを更新する更新手段と、この更新手段で更新されたハイパーリンク情報と上記第３の出力手段で出力された上記登録識別番号がわかっている登録文書とをハイパーテキストマークアップ言語に変換する変換手段と、この変換手段でハイパーテキストマークアップ言語に変換されたハイパーリンク情報と登録する文書とこの登録文書の登録識別番号とからインターネット用ホームページに登録する登録手段と、この登録手段で登録が完了した後、登録完了を証明するシートを出力する第４の出力手段とから構成されている。
【００２７】
【発明の実施の形態】
以下、この発明の一実施の形態について図面を参照して説明する。
【００２８】
図１は、本発明のシステム構成の概要を示している。コンビニエンスストア、駅、市役所など地域に身近にある施設に、ネットワークに接続したデジタルコピー機（Ｄｉｇｉｔａｌ  Ｐｌａｎｅ  Ｐａｐｅｒ  Ｃｏｐｉｅｒ：以下ＤＰＰＣと記す）４，…が設置されている。各ＤＰＰＣ４は、ネットワーク５を介して地域のキャッシュサーバ（ＤＳＶ）３に接続されている。
【００２９】
キャッシュサーバ３は、公衆網・インターネット２を介して世界中の情報提供サーバ１，…からアクセスのあった情報を取ってきてキャッシングをしたり、ＤＰＰＣ４から入力された情報を光ディスク６，…に蓄積する。このようなシステムにおいて、ネットワーク５に接続されたＤＰＰＣ４に紙の文書を入力してＷＷＷホームページを開設する。
【００３０】
図２は、システム全体のハードウエア構成を示すものである。
【００３１】
キャッシュサーバ３は、図に示すようにＬＡＮ等の通信回線上のノードとして設置され、複数のＤＰＰＣ４と相互に接続されている。キャッシュサーバ３の内部は、外部との情報送受を行うホスト２０２、オートチェンジャー２１２の制御や内部の情報送受を行うコントローラ２０７とから構成されている。
【００３２】
ホスト２０２の内部には、装置全体を制御する中央処理装置（ＣＰＵ）２０３を中心に構成されている。このＣＰＵ２０３には、システムバス２２８を介して制御プログラム及び各種データが格納されるメインメモリ２０４や磁気ディスク（ＨＤＤ）２０５、通信回線（ネットワーク）５との情報送受を行う通信インタフェース２２５等が接続されている。
【００３３】
また、コントローラ２０７の内部には、ホスト２０２と同様に、装置全体を制御する中央処理装置（ＣＰＵ）２０８を中心に構成されている。このＣＰＵ２０８には、システムバス２２９を介して制御プログラム及び各種データが格納されるメインメモリ２０９や磁気ディスク（ＨＤＤ）２１０等が接続されている。
【００３４】
ＤＭＡ２１１はＣＰＵ２０３，ＣＰＵ２０８の介在なくデータを転送するもので、ＣＰＵ２０３，ＣＰＵ２０８で設定されたＤＭＡレジスタの内容に従ってメインメモリ２０４、磁気ディスク２０５、オートチェンジャー２１２内のドライブ２１３間のデータ転送を行う。
【００３５】
オートチェンジャー２１２の内部は、可搬型メディアとしての光ディスク６の複数ドライブ２１３、スロット２１７及び光ディスク６をスロット２１５と複数ドライブ２１３間で移動させるロボットアーム２１４、及び投入取り出し口２１７とからなる。
【００３６】
ＤＰＰＣ４は、図に示すようにＬＡＮ等の通信回線５上のノードとして各所に設置され、これらが相互に接続されている。また、図に示すように、例えば、このＤＰＰＣ４のハードウェア構成は、その内部に装置全体を制御する中央処理装置を有するＣＰＵ部２１９を中心に構成されている。このＣＰＵ部２１９には、システムバス２２７を介してインタフェース２２０、制御プログラム及び各種データが格納されるメインメモリ２２３、装置が扱う画像等のデータが一時的に格納されるページメモリ２２４、及び通信回線５との情報送受を行う通信インタフェース２２５等が接続されている。上記インタフェース２２０は、これに接続されたプリンタ（出力手段）２２１及びスキャナ（画像入力手段）２２２に対する画像情報の入出力を制御している。
【００３７】
図３は、この発明のソフトウェアシステムの構成例を示すものである。
【００３８】
このソフトウェアシステムは、ホームページ管理部３０５、リンク関係指示シート発行部３０８、登録完了照明シート発行部３１１、登録先指示シート発行部３２０、登録先指示シート認識部３１４、ホームページ構成文書読み取り部３１５、登録完了証明シート認識部３１６、リンク関係指示シート認識部３１７、及び制御部３１２とから構成されている。
【００３９】
登録ユーザ管理データ３０１、ＵＲＬ管理データ３０２、ホームページ構成文書データ３０３、ホームページハイパーリンクデータ３０４、及びリンク関係指示シート管理データ３０７、登録完了証明シート管理データ３０９はキャッシュサーバ３にある。キャッシュサーバ３中のデータは、アクセス頻度によりメインメモリ２０４、ＨＤＤ２０５、ドライブ２１３内またはスロット２１５内の光ディスク６，…中のいずれかに存在する。
【００４０】
ホームページ管理部３０５は、このホームページ管理装置（本発明のシステム）を使用するユーザを一意に管理する登録ユーザ管理データ３０１、登録されたホームページのＵＲＬを一意に管理するＵＲＬ管理データ３０２とを持っている。さらに、画像圧縮部３１９から来るホームページを構成する画像の圧縮データを格納するホームページ構成文書データ３０３、ホームページのハイパーリンク情報のデータを格納するホームページハイパーリンクデータ３０４を持っている。
【００４１】
リンク関係指示シート発行部３０８は、ホームページ管理部３０５から後述するリンク関係指示シート７の発行が依頼されると、ホームページ構成文書データ３０３を元にｎin１のフォーマットでシート画像を形成する。このとき、リンク関係指示シート発行部３０８は、シート画像を形成するためのリンク関係指示シート印刷データ３０６を一時的に作成する。リンク関係指示シート印刷データ３０６には、ホームページ管理部３０５から発行を依頼されたときに、シート上に形成する文字列や画像の情報、例えば、リンク関係指示シート７を一意に識別するシートＩＤ、後述するホームページ構成文書８の縮小データなどが一時的に保持され、シート画像が形成された後、削除される。
【００４２】
また、リンク関係指示シート発行部３０８は、シート画像の印刷が終了すると、発行したリンク関係指示シート７に関する情報を、リンク関係指示シート管理データ３０７に登録する。リンク関係指示シート管理データ３０７は、発行したリンク関係指示シート７を一意に識別して管理している。また、リンク関係指示シート認識部３１７がリンク関係指示シート７を認識するときには、各リンク関係指示シート７を認識するためのシート認識データをリンク関係指示シート認識部３１７に提供する。
【００４３】
登録完了証明シート発行部３１１は、ホームページ管理部３０５から後述する登録完了証明シート９の発行が依頼されると、登録ユーザ管理データ３０１、ＵＲＬ管理データ３０２を元にシート画像を形成する。このとき、登録完了証明シート発行部３１１は、シート画像を形成するための登録完了証明シート印刷データ３１０を一時的に作成する。登録完了証明シート印刷データ３１０には、ホームページ管理部３０５から発行を依頼されたときに、登録完了証明シート９上に形成する文字列や画像の情報、例えば、登録完了証明シート９を一意に識別するシートＩＤ、登録ユーザＩＤ、ホームページＵＲＬなどが一時的に保持され、シート画像が形成された後、削除される。
【００４４】
また、登録完了証明シート発行部３１１は、シート画像の印刷が終了すると、発行した登録完了証明シート９に関する情報を、登録完了証明シート管理データ３０９に登録する。登録完了証明シート管理データ３０９は、発行した登録完了証明シート９を一意に識別して管理している。また、登録完了証明シート認識部３１６が登録完了証明シート９を認識するときには、各登録完了証明シート９を認識するためのシート認識データを登録完了証明シート認識部３１６に提供する。
【００４５】
登録先指示シート発行部３２０は、ホームページ管理部３０５から後述する登録先指示シート１０の発行が依頼されると、登録ユーザ管理データ３０１を元にシート画像を形成する。このとき、登録先指示シート発行部３２０は、シート画像を形成するための登録先指示シート印刷データ３２１を一時的に作成する。登録先指示シート印刷データ３２１には、ホームページ管理部３０５から発行を依頼されたときに、登録先指示シート１０上に形成する文字列や画像の情報、例えば、登録先指示シート１０を一意に識別するシートＩＤ、登録ユーザＩＤ、登録先情報などが一時的に保持され、シート画像が形成された後、削除される。
【００４６】
登録先指示シート認識部３１４では、登録先指示シート１０上に記入された各部品を認識して、認識結果を登録先指示シート認識結果データ３１８に登録する。ＵＲＬ決定部３１３では、登録先指示シート認識部３１４によって登録されたデータを元にＵＲＬを一意に決定して、ＵＲＬ管理データ３０２に登録する。
【００４７】
ホームページ構成文書読み取り部３１５は、登録先指示シート認識部３１４の動作が終了した後に、ホームページ構成文書８の読み取りを指示される。ホームページ構成文書８の全面を読み取り、読み取ったホームページ構成文書８は画像圧縮部３１９で画像圧縮し、ホームページ構成文書データ３０３に圧縮データを登録する。
【００４８】
登録完了証明シート認識部３１６は、登録完了証明シート９上に記入された各部分を認識する。認識されたシートＩＤを登録完了証明シート管理データ３０９と照らし合わせ、該当するＩＤを持つシートの情報をホームページ管理部３０５に知らせる。
【００４９】
リンク関係指示シート認識部３１７は、リンク関係指示シート７上に記入されたシートＩＤを認識する。認識されたシートＩＤをリンク関係指示シート管理データ３０７と照らし合わせ、該当するＩＤを持つシートの情報をホームページ管理部３０５に知らせる。ホームページ管理部３０５は、リンク関係指示シート７のシートＩＤ情報が参照されると、ホームページハイパーリンクデータ３０４から該当するホームページのハイパーリンク情報をリンク関係指示シート認識部３１７に送る。
【００５０】
差分情報読み取り部３２２では、送られてきたハイパーリンク情報を元にリンク関係指示シート７上の手書きのリンク情報との差分を取り、結果をハイパーリンク関係認識結果データ３２３に登録する。ハイパーリンク自動生成部３２４では、登録された結果を元に登録者が意図するハイパーリンク情報を自動生成し、ホームページハイパーリンクデータ３０４に再登録する。
【００５１】
制御部３１２は、各部の制御を行う。
【００５２】
次に、第１実施例としてのホームページの登録について説明する。
【００５３】
図４は、ＷＷＷホームページ登録のフローの概要を示している。登録先指示シート１０で登録するホームページをどこの場所に登録するかを指示する。続いて登録先指示シート１０と紙で書かれたホームページ構成文書８，…をＤＰＰＣ４に入力する。するとＤＰＰＣ４は、登録先指示シート１０により、入力された文書の登録先と登録者の情報を認識する。また、ホームページ構成文書８，…は、画像データとして圧縮し、一時的にＤＰＰＣ４内にあるページメモリ２２４に蓄積する。そして、ＤＰＰＣ４は、リンク関係指示シート７を出力する。ホームページ構成文書８，…がｎページ構成の場合、リンク関係指示シート７はｎin１で構成される。
【００５４】
続いて、出力されたリンク関係指示シート７に手書きでリンク関係を書き込んでリンク関係指示シート７ａとする。リンク関係を書き込んだリンク関係指示シート７ａを再びＤＰＰＣ４に入力すると、ＤＰＰＣ４は先に出力したリンク関係指示シート７と入力されたリンク関係指示シート７ａの差分を取り、手書きで指示されたリンク関係を画像認識し、認識結果から画像中のある領域とある領域との間のハイパーリンクを自動生成する。ＤＰＰＣ４は、自動生成したハイパーリンクを元にＨＴＭＬに変換し、ＷＷＷホームページをキャッシュサーバ３に自動登録し、登録した結果としての登録完了証明シート９を出力する。
【００５５】
図５は、登録先指示シート１０の詳細な例である。登録先指示シート１０は、登録先指示シート１０であることを示すシート識別ＩＤ５０２、登録先指示シート１０の登録番号５０５、登録者ＩＤ番号５０３、階層的に示した登録先５０４、チェック欄５０６とから構成されている。
【００５６】
登録先指示シート１０は、管理者が予め決定した階層的なフォーマットで記述されており、エディタなどで部品を配置し、簡単にシートの構成を変更できる。登録者は、このシステムを使用する際に登録者ＩＤ番号をシステム管理者から入手する。登録者ＩＤ番号５０３は、英数字からなる文字列である。ホームページを登録する際には、そのＩＤ番号を登録者ＩＤ番号５０３に記述し、ホームページの登録先を選択してチェック欄５０６を黒く塗りつぶす。
【００５７】
ＤＰＰＣ４は、この登録先指示シート１０が入力された際に、登録者ＩＤ番号５０３と黒く塗りつぶされたチェック欄５０６から登録先を認識する。ＤＰＰＣ４は、登録先、登録者ＩＤ番号、登録日時からＵＲＬを一意に決定する。
【００５８】
図６は、ホームページ構成文書８の例を示すものである。この例では、全てＡ４サイズの文書を想定している。図６の（ａ）に示す１ページ目は、ホームページの顔となるページでタイトルやキーワード１，２，３から成り立っている。タイトルは図６の（ｂ）に示す２ページ目、キーワード１は図６の（ｄ）に示す４ページ目、キーワード２は図６の（ｃ）に示す３ページ目、キーワード３は図６の（ｃ）に示す３ページ目とそれぞれハイパーリンクを張る部分である。
【００５９】
図７は、リンク関係指示シート７の例を示すものである。登録先指示シート１０とホームページ構成文書８とを入力した結果出力されたこのリンク関係指示シート７は、ホームページ構成文書８を１ページにまとめたものである。ホームページ構成文書８がｎページの場合にはｎin１として構成される。この例の場合には４ページ構成であるので、４in１として構成されている。ホームページ構成文書８のページ数が異常に大きい場合にはｎin１で出力しても見にくくなってしまうので、このリンク関係指示シート７を数ページの構成にすることもある。
【００６０】
図７におけるリンク関係指示シート７は、リンク関係指示シート７であることを示すシート識別ＩＤ（リンク関係指示シート）７０２、このリンク関係指示シート７の登録番号７０５、ホームページ構成文書８，…を縮小して４in１で納めたホームページ構成文書７０３、及び最下部に登録先指示シート１０で認識した登録者ＩＤ番号７０４と入力された日時７０６とから構成されている。
【００６１】
図８は、リンク関係指示シート７の記入例を示すものである。リンク関係指示シート７上に手書きでリンク関係を書き込んでいった結果である。キーワードは、キーワード全体を丸で囲みリンクする同じキーワード相互を手書きの線で結ぶ（８０４）。タイトルなど画像データは画像全体を丸で囲み同様に手書きの線で結ぶ（８０３）。
【００６２】
この例のデータは、画像データと文書から構成されるものだが、音声、動画などに関しても同様にアイコン化された音声、動画データに対し、実線でつないでリンクを張ることもできる。
【００６３】
図８で示すリンク関係指示シート７の記入例においては、リンク関係指示シート７であることを示すシート識別ＩＤ（リンク関係指示シート）８０２、このリンク関係指示シート７の登録番号８０６、及び最下部に登録先指示シート１０で認識した登録者ＩＤ番号８０５と入力された日時８０７とから構成されている。
【００６４】
図９は、図８で示したリンク関係指示シート７をＤＰＰＣ４に入力して、ＤＰＰＣ４が内部で認識した結果を模式的に表したものである。
【００６５】
図１０は、登録完了証明シート９の例を示すものである。この登録完了証明シート９は、登録完了証明シート９であることを示すシート識別ＩＤ１００２、この登録完了証明シート７の登録番号１０１０、登録者ＩＤ番号１００３、登録日１００４、登録時間１００５、一意に決定されたＵＲＬ１００６、登録されたホームページのページ数１００７、登録されたホームページのリンク数１００８、及び登録先の認識結果１００９とから構成されている。
【００６６】
次に、このような構成において第１実施例のＷＷＷホームページ登録動作を図１１のフローチャートを参照して説明する。
【００６７】
まず、シートをスキャナ２２２で読み取り（ステップ１１０１）、シート識別ＩＤを認識する（ステップ１１０２）。シート識別ＩＤが登録先指示シート１０と認識されれば（ステップ１１０３）、登録先指示シート認識部３１４が、登録先指示シート１０の各部品である登録者ＩＤ番号５０３，階層的に示した登録先５０４，登録番号５０５，チェック欄５０６とを認識する（ステップ１１０４）。
【００６８】
そして、登録先指示シート認識部３１４は、登録先の認識結果を登録先指示シート認識結果データ３１８に格納する（ステップ１１０５）。続いてＵＲＬ決定部３１３がステップ１１０５で格納されたデータを元にＵＲＬを一意に決定する（ステップ１１０６）。決定したＵＲＬをＵＲＬ管理データ３０２に格納する（ステップ１１０７）。
【００６９】
そして、登録先指示シート認識部３１４は、ホームページ構成文書読み取り部３１５に制御を移し、ホームページ構成文書８，…の読み取りを開始する（ステップ１１０８）。読み取られたホームページ構成文書８，…は、画像圧縮部３１９によって画像圧縮をかけられ（ステップ１１０９）、圧縮された画像データとしてホームページ構成文書データ３０３に格納される（ステップ１１１０）。
【００７０】
続いてリンク関係指示シート発行部３０８に制御が移り、リンク関係指示シート発行部３０８は格納されたホームページ構成文書データ３０３と登録ユーザ管理データ３０１とからリンク関係指示シート印刷データ３０６を一時的に生成する（ステップ１１１１）。最後に、上記印刷データを元にリンク関係指示シート７の印刷をプリンタ２２１で開始する（ステップ１１１２）。
【００７１】
ステップ１１０３で登録先指示シート１０でない場合、リンク関係指示シート７かどうか判断する（ステップ１１１３）。リンク関係指示シート７でない場合はエンドとする。
【００７２】
リンク関係指示シート７である場合、リンク関係指示シート７の登録番号８０６を認識する（ステップ１１１４）。登録番号が認識されたならば、該当する登録番号を持つリンク関係指示シート７をリンク関係指示シート管理データ３０７から検索する（ステップ１１１５）。
【００７３】
続いてリンク関係指示シート７の他の部分である登録者ＩＤ番号８０５，日時８０７、手書きのリンク関係８０３，８０４を読み込む（ステップ１１１６）。上記検索結果のリンク関係指示シート７と、読み取ったリンク関係指示シート７との差分情報を差分情報認識部３２２で認識し（ステップ１１１７）、認識結果をハイパーリンク関係認識結果データ３２３に格納する（ステップ１１１８）。格納された結果を元にしてハイパーリンク自動生成部３２４がハイパーリンクを自動生成し（ステップ１１１９）、生成結果をホームページハイパーリンクデータ３０４に格納し、ホームページの登録が完了する（ステップ１１２０）。
【００７４】
ホームページ管理部３０５は、リンク関係指示シート認識部３１７より処理の終了通知を受けると、登録完了証明シート発行部３１１に登録完了証明シート９の発行を指示する。登録完了証明シート発行部３１１は、登録ユーザ管理データ３０１及びＵＲＬ管理データ３０２により登録完了証明シート印刷データ３１０を一時的に生成する（ステップ１１２１）。最後に上記印刷データを元に登録完了証明シート９の印刷をプリンタ２２１で開始する（ステップ１１２２）。
【００７５】
次に、第２実施例としてのホームページの更新について説明する。
【００７６】
図１２は、ＷＷＷホームページ更新のフローの概要を示している。まず、既に登録されている更新したいホームページの登録完了証明シート９をＤＰＰＣ４に入力する。するとＤＰＰＣ４は、登録完了証明シート９を認識し、登録されているホームページを検索する。そして登録されているホームページのリンク関係指示シート７を出力する。
【００７７】
続いて出力されたリンク関係指示シート７に手書きでリンクの追加・削除を書き込んでリンク関係指示シート７ｂとする。書き込んだリンク関係指示シート７ｂを再びＤＰＰＣ４に入力すると、ＤＰＰＣ４は先に出力したリンク関係指示シート７と入力されたリンク関係指示シート７ｂの差分を取り、手書きで指示されたリンクの追加・削除を自動認識し、キャッシュサーバ３内にあるハイパーリンクデータを自動的に更新する。また、更新した情報を示した登録完了証明シート９を出力する。
【００７８】
図１３は、出力されたリンク関係指示シート７におけるリンクの削除の例を示すものである。出力されたリンク関係指示シート７に、切りたいリンクの線の部分に「×」を書き加えることにより（記号Ａ）、リンクを削除することができる。
【００７９】
図１３におけるリンク関係指示シート７の記入例は、リンク関係指示シート７であることを示すシート識別ＩＤ（リンク関係指示シート）１３０２、リンク関係指示シートの登録番号１３０５、最下部に登録先指示シート１０で認識した登録者ＩＤ番号１３０４、入力された日時１３０６とから構成されている。
【００８０】
図１４は、リンク関係指示シート７におけるリンクの追加の例を示すものである。リンクを追加したい場合には、図８で示したのと同様に実線で新たにつないでいけば、つないだもの相互にリンクを張ることができる（記号Ｂ，Ｃ）。
【００８１】
このリンク関係指示シート７の記入例は、リンク関係指示シート７であることを示すシート識別ＩＤ（リンク関係指示シート）１４０２、リンク関係指示シートの登録番号１４０５、最下部に登録先指示シート７で認識した登録者ＩＤ番号１４０４、入力された日時１４０６とから構成されている。
【００８２】
次に、このような構成において第２実施例のＷＷＷホームページ更新動作を図１５のフローチャートを参照して説明する。
【００８３】
まず、シートをスキャナ２２２で読み取り（ステップ１５０１）、シート識別ＩＤを認識する（ステップ１５０２）。シート識別ＩＤが登録完了証明シート９と認識されれば（ステップ１５０３）、登録完了証明シート認識部３１６が、登録完了証明シート９の登録番号１０１０を認識する（ステップ１５０４）。登録番号が認識されたならば、該当する登録番号を持つ登録済みのホームページを検索し、そのホームページのリンク関係指示シートデータをリンク関係指示シート管理データ３０７から検索する（ステップ１５０５）。
【００８４】
続いてリンク関係指示シート発行部３０８に制御が移り、リンク関係指示シート発行部３０８は格納されたホームページ構成文書データ３０３と登録ユーザ管理データ３０１から該当ＩＤを持つリンク関係指示シート印刷データ３０６を一時的に生成する（ステップ１５０６）。最後に上記印刷データを元に、リンク関係情報が記述されたリンク関係指示シート７の印刷を開始する（ステップ１５０７）。
【００８５】
ステップ１５０３で登録完了証明シート９でない場合、リンク関係指示シート７かどうか判断する（ステップ１５０８）。リンク関係指示シート７である場合、まずリンク関係指示シート７の登録番号８０６を認識する（ステップ１５０９）。登録番号が認識されたならば、該当する登録番号を持つリンク関係指示シート７をリンク関係指示シート管理データ３０７から検索する（ステップ１５１０）。続いてリンク関係指示シート７の他の部分である登録者ＩＤ番号８０５，入力された日時８０７、手書きのリンク関係８０３，８０４を読み込む（ステップ１５１１）。
【００８６】
上記検索結果のリンク関係指示シート７と、読み取ったリンク関係指示シート７との差分情報を差分情報認識部３２２で認識し（ステップ１５１２）、認識結果をハイパーリンク関係認識結果データ３２３に格納する（ステップ１５１３）。格納された結果を元にしてハイパーリンク自動生成部３２４がハイパーリンクを自動生成し（ステップ１５１４）、生成結果をホームページハイパーリンクデータ３０４に格納し、ホームページの登録が完了する（ステップ１５１５）。
【００８７】
ホームページ管理部３０５は、リンク関係指示シート認識部３１７より処理の終了通知を受けると、登録完了証明シート発行部３１１に登録完了証明シート９の発行を指示する。登録完了証明シート発行部３１１は、登録ユーザ管理データ３０１及びＵＲＬ管理データ３０２により登録完了証明シート印刷データ３１０を一時的に生成する（ステップ１５１６）。最後に上記印刷データを元に登録完了証明シートの印刷を開始する（ステップ１５１７）。
【００８８】
次に、第３実施例としての過去に更新した文書とリンクする登録について説明する。
【００８９】
図１６は、過去に更新した文書とリンクする登録のフローの概要を示している。まず、既に登録されている更新したいホームページの登録完了証明シート９をＤＰＰＣ４に入力する。するとＤＰＰＣ４は、登録完了証明シート９を認識し、登録されているホームページを検索し、さらに登録されているホームページの登録履歴（Ｒｅｖｉｓｉｏｎ）を検索する。そして、登録されているホームページの登録履歴をホームページ登録履歴シート１１に出力する。
【００９０】
図１７は、ホームページ登録履歴シート１１の例を示すもので、検索されたホームページ登録履歴が、更新毎にバーコードまたは登録番号と日付、時刻等が記載されている。
【００９１】
続いて、このホームページ登録履歴シート１１をＤＰＰＣ４に入力する。するとＤＰＰＣ４は、入力されたホームページ登録履歴シート１１の画像と、先に登録完了証明シート９で認識した登録されているホームページの全文書とからリンク関係指示シート７を出力する。
【００９２】
図１８は、ホームページ登録履歴シート１１が縮小して載せられたリンク関係指示シート７の例を示すものである。図においては、ホームページ登録履歴の図上の最上段の文書とリンクするように手書きの線が結ばれている。
【００９３】
このリンクが書き込まれたリンク関係指示シート７を再びＤＰＰＣ４に入力すると、ＤＰＰＣ４はこの入力されたリンク関係指示シート７と先に出力したリンク関係指示シート７との差分を取り、手書きで指示されたリンク関係を画像認識し、認識結果から画像中のタイトルとホームページ登録履歴における過去に更新した文書との間のハイパーリンクを自動生成する。ＤＰＰＣ４は、自動生成したハイパーリンクを元にキャッシュサーバ３内にあるハイパーリンクデータを自動的に更新する。また、更新した情報を示した登録完了証明シート９を出力する。
【００９４】
図１９は、出力されたホームページ登録履歴シート１１を参照してリンク関係指示シート７にバーコードまたは登録番号を直接記入したものである。このようにリンク関係指示シート７に直接指定することも可能であり、この場合もＤＰＰＣ４に入力することによって本実施例の過去に更新した文書とリンクする登録が可能となる。
【００９５】
次に、第４実施例としてリンク指示シート７が２枚以上の複数になってしまう場合について図２０を参照して説明する。
【００９６】
図２０の（ａ）と図２０の（ｂ）の２枚のリンク指示シート７が出力されたものとする。このリンク指示シートの間でリンクを結ぶ場合は、図２０の（ａ）のリンク指示シート７をリンク元とする矢印で示す任意の記号Ａを手書きし、リンク先を図２０の（ｂ）のリンク指示シート７にこの任意の記号Ａを手書きする。また、図２０の（ｂ）のリンク指示シート７における「キーワード３」をリンク元とする矢印で示す任意の記号Ｂを手書きし、リンク先を図２０の（ａ）のリンク指示シート７にこの任意の記号Ｂを手書きする。
【００９７】
このリンクが書き込まれた複数（２枚）のリンク関係指示シート７を再びＤＰＰＣ４に入力すると、ＤＰＰＣ４はこの入力された複数（２枚）のリンク関係指示シート７と先に出力したリンク関係指示シート７との差分を取り、任意の記号で手書きされたリンク元とリンク先を含む手書きで指示されたリンク関係を画像認識し、認識結果から画像中のある領域とある領域との間のハイパーリンクを自動生成する。ＤＰＰＣ４は、自動生成したハイパーリンクを元にＨＴＭＬに変換し、ＷＷＷホームページをキャッシュサーバ３に自動登録し、登録した結果としての登録完了証明シート９を出力する。
【００９８】
次に、第５実施例として登録文書に外部のＵＲＬをリンクする場合について説明する。
【００９９】
図２１は、登録文書に外部のＵＲＬとリンクする登録のフローの概要を示している。まず、ＤＰＰＣ４から外部ＵＲＬ検索用シート１２を出力する。この外部ＵＲＬ検索用シート１２には、登録文書のＵＲＬとリンクする登録文書を検索するための検索キーワードが記入される。この検索キーワードが記入された外部ＵＲＬ検索用シート１２をＤＰＰＣ４に入力する。するとＤＰＰＣ４は、外部ＵＲＬ検索用シート１２を認識し、登録されているホームページを検索し、さらに検索キーワードにより外部ＵＲＬを検索し、検索結果がヒットしたＵＲＬの外部ＵＲＬ検索結果リスト１３を出力する。
【０１００】
図２２は、ＵＲＬの外部ＵＲＬ検索結果リスト１３の例を示すもので、検索キーワードで検索されてヒットしたＵＲＬとそのバーコードまたは登録番号とが記載されている。
【０１０１】
続いて、この外部ＵＲＬ検索結果リスト１３をＤＰＰＣ４に入力する。するとＤＰＰＣ４は、入力された外部ＵＲＬ検索結果リスト１３の画像と、先に登録完了証明シート９で認識して検索した登録文書とからリンク関係指示シート７を出力する。
【０１０２】
図２３は、外部ＵＲＬが載せられたリンク関係指示シート７の例を示すものである。図においては、外部ＵＲＬの図上の最上段のＵＲＬとリンクするように手書きの線が結ばれている。
【０１０３】
このリンクが書き込まれたリンク関係指示シート７を再びＤＰＰＣ４に入力すると、ＤＰＰＣ４はこの入力されたリンク関係指示シート７と先に出力したリンク関係指示シート７との差分を取り、手書きで指示された外部ＵＲＬとのリンク関係を画像認識し、認識結果から外部ＵＲＬとの間のハイパーリンクを自動生成する。ＤＰＰＣ４は、自動生成したハイパーリンクを元にキャッシュサーバ３内にあるハイパーリンクデータを自動的に更新する。また、更新した情報を示した登録完了証明シート９を出力する。
【０１０４】
図２４は、出力された外部ＵＲＬ検索結果リスト１３を参照してリンク関係指示シート７にバーコードまたは登録番号を直接記入したものである。このようにリンク関係指示シート７に直接指定することも可能であり、この場合もＤＰＰＣ４に入力することによって本実施例の外部ＵＲＬとリンクする登録が可能となる。
【０１０５】
以上説明したように上記発明の実施の形態によれば、身近にパソコンがなくてもＨＴＭＬの知識がなくても、デジタルコピー機から簡単にＷＷＷホームページを開設することができる。また、電子文書のみでなく紙の文書もホームページにすることができる。
【０１０６】
また、デジタルコピー機に登録先指示シートを読み込ませることにより、ＵＲＬを意識することなく文書の登録先を簡単に指定することができる。
【０１０７】
また、デジタルコピー機にリンク関係指示シートを読み込ませることにより、文書間のリンク関係を視覚的に直感的に理解／指示でき、文書間のリンクの張り替え（削除・追加）も簡単にすることができる。
【０１０８】
【発明の効果】
以上詳述したようにこの発明によれば、パーソナルコンピュータやそのプログラムソフトなどを必要とせず、ＨＴＭＬの知識も必要なくＵＲＬを意識せず、紙に印刷された文書を扱って、視覚的、直感的に理解しやすくして容易にハイパーリンクを自動的に生成することのできるハイパーリンク自動生成装置を提供することができる。
【図面の簡単な説明】
【図１】この発明のハイパーリンク自動生成装置に係るシステム構成を示す図。
【図２】この発明のハイパーリンク自動生成装置に係るシステム全体のハードウェア構成を示すブロック図。
【図３】この発明のハイパーリンク自動生成装置に係るシステムのソフトウェア構成を示すブロック図。
【図４】ホームページ登録のフローの概要を示す図。
【図５】登録先指示シートを説明するための図。
【図６】ホームページ構成文書の例を示す図。
【図７】リンク関係指示シートを説明するための図。
【図８】リンク関係指示シートの記入例を示す図。
【図９】リンク関係指示シートの認識結果を示す図。
【図１０】登録完了証明シートを説明するための図。
【図１１】ホームページ登録動作を説明するためのフローチャート。
【図１２】ホームページ更新のフローの概要を示す図。
【図１３】リンク関係指示シートにおけるリンクの削除を説明するための図。
【図１４】リンク関係指示シートにおけるリンクの追加を説明するための図。
【図１５】ホームページ更新動作を説明するためのフローチャート。
【図１６】過去に更新した文書とリンクする登録のフローの概要を示す図。
【図１７】ホームページ登録履歴シートの例を示す図。
【図１８】ホームページ登録履歴の記載シートが載せられたリンク関係指示シートの例を示す図。
【図１９】リンク関係指示シートにバーコードまたは登録番号を直接記入した例を示す図。
【図２０】リンク指示シートが２枚以上の複数の場合を説明するための図。
【図２１】登録文書に外部のＵＲＬとリンクする登録のフローの概要を示す図。
【図２２】ＵＲＬの外部ＵＲＬ検索結果リストの例を示す図。
【図２３】外部ＵＲＬが載せられたリンク関係指示シートの例を示す図。
【図２４】リンク関係指示シートにバーコードまたは登録番号を直接記入した例を示す図。
【符号の説明】
３…キャッシュサーバ
４…デジタルコピー機（ＤＰＰＣ）
５…通信回線（ネットワーク）
６…光ディスク
７…リンク関係指示シート
８…ホームページ構成文書
９…登録完了証明シート
１０…登録先指示シート
１１…ホームページ登録履歴シート
１２…外部ＵＲＬ検索用シート
１３…外部ＵＲＬ検索用シート
２０２…ホスト
２０３、２０８…ＣＰＵ
２０４、２０９、２２３…メインメモリ
２０５、２１０…磁気ディスク（ＨＤＤ）
２０６、２２５…通信インターフェース
２１９…ＣＰＵ部
２２１…プリンタ
２２２…スキャナ
２２４…ページメモリ
【図１】
0003910236.tif 000002
【図２】
0003910236.tif 000003
【図３】
0003910236.tif 000004
【図４】
0003910236.tif 000005
【図５】
0003910236.tif 000006
【図６】
0003910236.tif 000007
【図７】
0003910236.tif 000008
【図８】
0003910236.tif 000009
【図９】
0003910236.tif 000010
【図１０】
0003910236.tif 000011
【図１１】
0003910236.tif 000012
【図１２】
0003910236.tif 000013
【図１３】
0003910236.tif 000014
【図１４】
0003910236.tif 000015
【図１５】
0003910236.tif 000016
【図１６】
0003910236.tif 000017
【図１７】
0003910236.tif 000018
【図１８】
0003910236.tif 000019
【図１９】
0003910236.tif 000020
【図２０】
0003910236.tif 000021
【図２１】
0003910236.tif 000022
【図２２】
0003910236.tif 000023
【図２３】
0003910236.tif 000024
【図２４】
0003910236.tif 000025